(57)【要約】【課題】多用途的に使用可能な鍵を提供する。【解決手段】現金入出金装置２の錠部２１を解錠するための鍵１に、利用者の生体情報を取得する生体認証センサ部４と、複数の利用者の生体情報及び利用者のセキュリティレベルを含む利用者データを予め格納する利用者データベース部６と、錠部２１のセキュリティレベル及び錠部２１のキーコードを格納するキーコードテーブル７と、キーコードに基づいて錠部２１を解錠するコイルドライバ部１０及び電磁石部２３とを設ける。錠部２１を解錠する場合、生体認証センサ部４から取得した生体情報と利用者データベース部６に格納された生体情報とを比較し、生体情報が一致した場合、利用者のセキュリティレベルが錠部２１のセキュリティレベルを満足する場合に、錠部２１のキーコードを抽出し、該抽出したキーコードに基づいてコイルドライバ部１０及び電磁石部２３により錠部２１を解錠する。【選択図】  図１
2007218049.tif 000002
【特許請求の範囲】
【請求項１】
錠部を解錠するための鍵であって、
利用者の生体情報を取得する生体情報取得部と、
複数の利用者の生体情報及びセキュリティレベルを含む利用者データを予め格納する利用者データベース部と、
錠部のセキュリティレベル及び錠部のキーコードを格納するキーコードテーブルと、
キーコードに基づいて錠部を解錠するための解錠部と、
前記生体情報取得部から取得された生体情報と前記利用者データベースに格納された生体情報とを比較し、生体情報が一致した利用者のセキュリティレベルを利用者データベースから抽出し、抽出したセキュリティレベルが前記キーコードテーブルのセキュリティレベルを満足した場合、該当するキーコードを前記キーコードテーブルから抽出し、該抽出したキーコードに基づいて前記解錠部に解錠の指示を出す制御部とを設けたことを特徴とする鍵。
【請求項２】
前記キーコードテーブルには複数の錠部を特定する情報を格納し、
前記制御部は、前記鍵を錠部に挿入した際に該錠部を特定する情報を取得し、取得した情報と前記キーコードテーブルに格納した前記錠部を特定する情報とを比較し、両者が一致した場合に前記解錠部に解錠の指示を出す請求項１記載の鍵。
【請求項３】
前記制御部が前記解錠部に解錠の指示を出した場合に、解錠の履歴を記録する請求項１または２記載の鍵。
【請求項４】
前記利用者データベースに格納した利用者データの格納期限を設定する手段を有する請求項１または２記載の鍵。
【請求項５】
前記利用者データベースに格納した複数の利用者の生体情報の格納期限を利用者データごとに設定する手段を有する請求項１または２記載の鍵。
【請求項６】
請求項１乃至５のいずれかに記載の鍵により解錠または施錠される現金入出金装置。
【発明の詳細な説明】
【技術分野】
【０００１】
本発明は、現金入出金装置や券売機等に設けられている錠部を解錠又は施錠する鍵に関し、とくに装置に複数設けられている錠部を解錠又は施錠する鍵及び該鍵により解錠又は施錠される現金入出金装置に関するものである。
【背景技術】
【０００２】
従来、例えば現金入出金装置においては、装置内に多額の現金を収納しているため、装置のいくつかの箇所に錠部が設けられている。例えば、装置の前部または後部の開閉扉、紙幣を収納するスタッカ部や硬貨のホッパー部の開閉扉、紙幣や硬貨の回収庫の開閉扉、あるいは消耗品を補充するための開閉扉等に設けられている。これらの各錠部はセキュリティ上、重要度が異なる。したがって重要度に応じた対応を可能にするために、各錠部をそれぞれ異なる鍵で開閉するように運用されている。
【０００３】
例えば現金の補充を行う場合、第１の鍵で装置の前部または後部の扉を開け、次に別の第２の鍵を操作して金庫を取り出し、さらに第３の鍵で金庫の扉を開けて金庫内に現金を補充するというに補充が行われる。
【０００４】
このような運用を改善するものとして、例えば、特開平８−８３３７１号公報に開示される技術がある。これは、管理レベルに加え、現金管理担当者の場合さらに現金の補充、回収の種別を記憶したカードを使用することにより、係員による操作を簡素化し、しかも現金管理上のセキュリティを確保するようにしたものである。
【特許文献１】特開平８−８３３７１号公報
【発明の開示】
【発明が解決しようとする課題】
【０００５】
しかしながら、上記文献に開示される技術においては、消耗品補給回収用のカード、現金補充／回収用のカード若しくは修理保全用のカードの３種類のカードを用意する必要があり、カードの種類別の管理が煩雑であるという問題があった。また上記文献に開示される技術においては、現金処理装置を管理する場合にしか適用されず、他の用途への適用が困難であるという問題があった。
【０００６】
そこで本発明は、多用途的に錠部を解錠または施錠可能な鍵を提供することを目的とする。また本発明は、セキュリティレベルに応じて単一の鍵で錠部を解錠または施錠する現金入出金装置を提供することを目的とする。
【課題を解決するための手段】
【０００７】
上記課題を解決するために本発明の鍵は、錠部を解錠するための鍵であって、利用者の生体情報を取得する生体情報取得部と、複数の利用者の生体情報及びセキュリティレベルを含む利用者データを予め格納する利用者データベース部と、錠部のセキュリティレベル及び錠部のキーコードを格納するキーコードテーブルと、キーコードに基づいて錠部を解錠するための解錠部と、前記生体情報取得部から取得された生体情報と前記利用者データベースに格納された生体情報とを比較し、生体情報が一致した利用者のセキュリティレベルを利用者データベースから抽出し、抽出したセキュリティレベルが前記キーコードテーブルのセキュリティレベルを満足した場合、該当するキーコードを前記キーコードテーブルから抽出し、該抽出したキーコードに基づいて前記解錠部に解錠の指示を出す制御部とを設けたことを特徴とするものである。
【発明の効果】
【０００８】
本発明によれば、錠部を解錠するための鍵が生体情報取得部と利用者データベースとキーコードテーブルと解錠部を有し、錠部を解錠する場合、利用者の生体情報を比較して一致した場合、および利用者のセキュリティレベルが錠部のセキュリティレベルを満足した場合に、キーコードを抽出して解錠するようにしたので、単一の鍵でしかもセキュリティレベルに応じた解錠が可能となるとともに、汎用性の高い鍵の提供が可能になる。
【発明を実施するための最良の形態】
【０００９】
以下、本発明の実施の形態を図面にしたがって説明する。各図面に共通する要素には同一の符号を付す。図１は本発明の第１の実施の形態の鍵を示すブロック図である。なお以下に説明する各実施の形態においては、現金入出金装置に備えられる錠部を解錠する鍵として説明する。
【００１０】
図１には鍵１および現金入出金装置２が示してある。図１において、鍵１は現金入出金装置２の錠部を解錠するものである。鍵１には、制御部３が設けられており、制御部３には、生体認証センサ部４、時計部５、利用者データベース部６、キーコードテーブル７、メモリ部８、非接触通信部９、コイルドライバ部１０およびＬＥＤ部１１が接続されている。制御部３はこれらの各部を制御する。
【００１１】
生体認証センサ部４は利用者の生体情報、ここでは指紋情報を取得するもので、公知の手段により構成される。時計部５は現在時刻を刻む。利用者データベース部６は、利用者データとして鍵１を使用する利用者の情報を格納するものである。図２に利用者データを示す。
【００１２】
図２において、利用者データ１２として、利用者名１３、利用者の生体情報１４および利用者のセキュリティレベル１５が格納される。利用者データベース６には、図３に示すように、複数の利用者の利用者データ１２が格納されている。生体情報１４は、後述する登録機に具備されている生体認証センサ部から入力された指紋情報である。またセキュリティレベル１５は、錠部のセキュリティ上の重要度に応じて利用者ごとに設定されるものである。
【００１３】
キーコードテーブル７を図４に示す。図４において、キーコードテーブル７には複数のキーコードデータ１６が格納されている。キーコードデータ１６は、現金入出金装置ＩＤ１７、錠部ＩＤ１８、セキュリティレベル１９およびキーコード２０により構成される。現金入出金装置ＩＤ１７は、現金入出金装置２を特定する情報である。錠部ＩＤ１８は、現金入出金装置２のどの箇所の錠部かを特定する情報である。セキュリティレベル１９は、錠部ＩＤ１８により特定される錠部のセキュリティ上の重要度を示す。またキーコードデータ２０は、錠部を解錠するための情報で、「１」、「０」の値で構成される。
【００１４】
メモリ部８はログ情報を格納するために設けられている。非接触通信部９は、現金入出金装置２の錠部２１と通信を行うもので、現金入出金装置２の錠部２１にも非接触通信部２２が設けられている。コイルドライバ部１０は、電磁石部２３に接続されており、電磁石部２３のコイルに電流を流すことにより現金入出金装置２の錠部２１を解錠するものである。即ち、コイルドライバ部１０および電磁石部２３は、錠部２１を解錠するための解錠部を構成する。ＬＥＤ部１１は、解錠時に制御部３の制御により点灯または点滅される。また鍵１にはバッテリ部２４が設けられており、上記の各部に電力を供給するようになっている。
【００１５】
図５は鍵を示す外観図である。図５において、鍵１は把手部２６と挿入部２７とから成り、把手部２６には生体認証センサ４およびＬＥＤ部１１が配設されている。挿入部２７は現金入出金装置２の錠部２１に挿入される部分で、挿入部２７には非接触通信部９および電磁石部２３が埋め込まれている。電磁石部２３は、７対の電磁石２３ａが左右に配設されて成り、各対の電磁石２３ａの極性は、外側が同極となるように、左右の電磁石２３ａでコイルの巻き方向を変えている。なお鍵１の形状は上記の形状に限定されるものではなく、例えばカード形状であってもよい。
【００１６】
本実施の形態では、鍵１に生体情報等を登録するために専用の登録機を使用する。図６は登録機およびパーソナルコンピュータを示す外観図、図７は登録機およびパーソナルコンピュータを示すブロック図である。両図において、登録機３０はＵＳＢケーブル等の汎用ケーブルによりパーソナルコンピュータ３１に接続され、上部に生体認証センサ部３２を備えている。登録機３０の内部にはさらに制御部３３および非接触通信部３４が設けられている。登録機３０の上部に鍵１を載せることにより、登録機３０と鍵１との通信が可能になる。
【００１７】
次に本実施の形態の動作を説明する。まず、利用者の情報を鍵１に登録する動作を説明する。この場合、パーソナルコンピュータ３１上の専用アプリケーションを用いて行う。まずパーソナルコンピュータ３１において専用アプリケーションを立ち上げると、パーソナルコンピュータ３１の画面に利用者の生体情報、即ち指紋情報の入力を促すガイダンスが表示される。このガイダンスにしたがって利用者は登録機３０の生体認証センサ部３２の上に指を載せ、指紋情報を入力する。入力された指紋情報はパーソナルコンピュータ３１へ送られ、パーソナルコンピュータ３１に登録される。
【００１８】
次にパーソナルコンピュータ３１の画面には利用者名および利用者のセキュリティレベルを入力するガイダンスが表示される。このガイダンスに従って利用者は、キーボードを操作して利用者名として自分の氏名および自分のセキュリティレベルを入力する。入力された利用者名およびセキュリティレベルは生体情報（指紋情報）とともに利用者データとしてパーソナルコンピュータ３１の利用者データベースに登録される。ここで利用者のセキュリティレベルとは、その利用者に対して解錠が許可される現金入出金装置２の錠部の範囲を示す情報である。
【００１９】
次にパーソナルコンピュータ３１の画面には、現金入出金装置ＩＤおよび利用者名の一覧が表示される。図８に現金入出金装置ＩＤの一覧表示を示し、図９に利用者名の一覧表示を示す。パーソナルコンピュータ３１には、予め選択可能な現金入出金装置２および選択可能な利用者名が登録されており、これらの登録された現金入出金装置ＩＤおよび利用者名が表示される。利用者は一覧表示の中から解錠したい現金入出金装置２のＩＤおよび解錠を行う利用者の氏名を選択する。選択後、確認ボタンを押下する。このとき複数の現金入出金装置ＩＤおよび複数の利用者を選択しても良い。また操作を行う利用者は、選択する代わりに、キーボードから現金入出金装置ＩＤおよび利用者名を入力するようにしても良い。
【００２０】
次にパーソナルコンピュータ３１の画面には、鍵１を登録機３０の上に載せる旨のガイダンスが表示される。このガイダンスに従って利用者は、鍵１を登録機３０の上に載せる。これにより鍵１に対して利用者登録が開始される。鍵１を登録機３０の上に載せると、鍵１の非接触通信部９と登録機３０の非接触通信部３４を介して鍵１と登録機３０との間で通信可能となり、登録機３０の非接触通信部３４を介して、パーソナルコンピュータ３１から、選択された又は入力された現金入出金装置ＩＤが図４に示すキーコードデータ１６の形式で鍵１に送信される。また選択された又は入力された利用者データが登録機３０の非接触通信部３４を介して、鍵１に送信される。このときキーコードデータ１６および利用者データは複数送られることもある。
【００２１】
鍵１の制御部３は、受信したキーコードデータ１６および利用者データを、キーコードデータテーブル７および利用者データベース６に格納する。これにより鍵１への登録動作を終了する。
【００２２】
次に利用者による現金入出金装置２の錠部２１の解錠動作を図１０に示すフローチャートにしたがって説明する。図１０は第１の実施の形態の解錠動作を示すフローチャートである。鍵１を所持する利用者が鍵１の挿入部２７を現金入出金装置２の錠部２１に差し込むと（ステップ１）、鍵１の制御部３は非接触通信部９を介して錠部２１の非接触通信部２７に電力を供給する（ステップ２）。錠部２１の図示しない記憶部には予め錠部データが記憶されており、鍵１の制御部３は錠部２１から錠部データを取得する（ステップ３）。
【００２３】
錠部データを図１１に示す。図１１において、錠部データ３６は、現金入出金装置ＩＤ３７、錠部ＩＤ３８および開閉情報３９から構成される。現金入出金装置ＩＤ３７は、錠部２１が設けられている現金入出金装置２を特定する情報である。錠部ＩＤ３８は錠部２１を特定する情報である。また開閉情報３９は、錠部２１が現在、解錠動作をするのかまたは施錠動作をするのかを示す情報である。
【００２４】
次に鍵１の制御部３は、ＬＥＤ部１１を点灯させ（ステップ４）、利用者に生体情報（指紋情報）の照合開始を促す。即ち、利用者は指を鍵１の把手部２６の生体認証センサ部４に置き、指紋情報を入力する。指紋情報が入力されると（ステップ５）、制御部３は、入力された指紋情報を、利用者データベース６に格納されている指紋情報と照合し、同一の指紋情報が格納されているか否かを確認する（ステップ６）。
【００２５】
照合により一致する指紋情報が利用者データベース６に利用者データ１２として格納されていると判定されると（ステップ７のＹ）、制御部３は、指紋情報が一致した利用者データ１２を抽出する（ステップ８）。一致する指紋情報が格納されていないと判定された場合（ステップ７のＮ）、鍵１を所持している利用者は未登録者であるとしてＬＥＤ部１１を点滅させ（ステップ１６）、解錠動作を終了する。
【００２６】
ステップ８において制御部３は利用者データ１２を抽出すると、次に、ステップ３で取得した錠部データ３６の現金入出金装置ＩＤ３７および錠部ＩＤ３８を、キーコードテーブル７に格納してあるキーコードデータ１６の現金入出金装置ＩＤ１７および錠部ＩＤ１８と照合し、一致するものがあるか否かを確認する（ステップ９）。ここで錠部データ３６の現金入出金装置ＩＤ３７と一致する現金入出金装置ＩＤ１７および錠部ＩＤ３８と一致する錠部データ１８を有するキーコードデータ１６が存在しない場合（ステップ１０のＮ）、現在使用している鍵１で解錠されるべき現金入出金装置２または錠部２１ではないとして、ＬＥＤ部１１を点滅させ（ステップ１６）、解錠動作を終了する。
【００２７】
錠部データ３６の現金入出金装置ＩＤ３７と一致する現金入出金装置ＩＤ１７および錠部ＩＤ３８と一致する錠部データ１８を有するキーコードデータ１６がキーコードテーブル７に存在する場合（ステップ１０のＹ）、次に、一致したキーコードデータ１６のセキュリティレベル１９を、生体情報（指紋情報）１４が一致した利用者データ１２のセキュリティレベル１５と照合する（ステップ１１）。
【００２８】
利用者データ１２のセキュリティレベル１５がキーコードデータ１６のセキュリティレベル１９を満足しない場合（ステップ１１のＮ）、セキュリティレベルが合わない、即ち、現在鍵１を操作している利用者が、この錠部２１を解錠する権限のない者であるとして、ＬＥＤ部１１を点滅させ（ステップ１６）、解錠動作を終了する。例えば、セキュリティレベルが「１」乃至「５」までの５段階（大きい数字の方がセキュリティレベルは高いものとする。）あるとし、利用者データ１２のセキュリティレベル１５が「２」で、キーコードデータ１６のセキュリティレベル１９が「３」である場合は、解錠されない。
【００２９】
利用者データ１２のセキュリティレベル１５がキーコードデータ１６のセキュリティレベル１９を満足した場合（ステップ１１のＹ）、現在鍵１を操作している利用者が、この錠部２１を解錠する権限のある者であるとして、キーコードデータ１６からキーコード２０を抽出して（ステップ１２）、解錠動作を行う（ステップ１３）。例えば、セキュリティレベルが、「１」乃至「５」までの５段階（大きい数字の方がセキュリティレベルは高いものとする。）あるとし、利用者データ１２のセキュリティレベル１５が「３」で、キーコードデータ１６のセキュリティレベル１９が「２」である場合は、セキュリティレベルが満足され、解錠される。
【００３０】
ステップ１２においてキーコード２０を抽出すると、制御部３は、解錠動作として、キーコード２０の１／０の値に応じて、図５に示す７対の電磁石２３ａのコイルに流す電流をコイルドライバ部１０によりオン／オフさせる。これにより、一般の電子キーの原理により、錠部２１側の対応する７つの磁石の反発力を利用してシャーライン（分割線）を一直線にし、利用者が鍵１を回すことにより、シリンダー錠を解錠する。
【００３１】
鍵１の制御部３は、解錠の際に現金入出金装置２から非接触通信部２２を介して受信した錠部データ３６の現金入出金装置ＩＤ３７、錠部ＩＤ３８および開閉情報３９をログ情報としてメモリ部８に格納する。この場合、開閉情報３９としては解錠として記憶される。制御部３はさらに、利用者データ１２の利用者名１３、時計部５により得られる解錠時刻をログ情報としてメモリ部８に格納する（ステップ１４）。鍵１の制御部３は最後に、ＬＥＤ部１１を消灯させ（ステップ１５）て、解錠処理を終了する。
【００３２】
また、利用者による現金入出金装置２の閉錠動作についても、上記の解錠動作と同様に行われる。
【００３３】
以上のように第１の実施の形態によれば、複数の錠部を解錠可能な鍵１に、生体認証機能と、生体認証が得られた場合に利用者のセキュリティレベルが錠部のセキュリティレベルを満足するか否かを確認する機能を設けたので、許可された利用者が、単一の鍵１で複数の装置または複数の錠部を解錠または施錠することが可能となる。また、解錠または施錠した際に、解錠情報または施錠情報をログ情報として記録しておくので、解錠または施錠を行った人の特定が容易になるとともに、セキュリティの向上も期待できる。
【００３４】
次に第２の実施の形態の鍵を説明する。図１２は第２の実施の形態の鍵を示すブロック図である。図１２において、第２の実施の形態における鍵４０には、データベース消去時刻テーブル４１が設けられ、制御部３に接続されている。その他の構成は、前記第１の実施の形態の構成と同様である。
【００３５】
次に鍵４０の利用者登録の動作を説明する。この場合も、パーソナルコンピュータ３１上の専用アプリケーションを用いて行う。第２の実施の形態の場合も、図６、図７に示す登録機３０およびパーソナルコンピュータ３１を用いて、第１の実施の形態と同様に、利用者の生体情報および利用者名および利用者のセキュリティレベルを登録する。
【００３６】
次にパーソナルコンピュータ３１の画面には、図８および図９に示すように、現金入出金装置ＩＤおよび利用者名の一覧が表示され、利用者は一覧表示の中から解錠したい現金入出金装置２のＩＤおよび解錠を行う利用者の氏名を選択し、選択後、確認ボタンを押下する。次にパーソナルコンピュータ３１の画面には、図１３に示すように、利用者データベースの消去時刻の入力画面が表示される。利用者はガイダンスに従って利用者データベースの消去時刻を入力する。
【００３７】
次に、パーソナルコンピュータ３１の画面には、鍵４０を登録機３０の上に載せる旨のガイダンスが表示され、このガイダンスに従って利用者は、鍵４０を登録機３０の上に載せる。これにより鍵４０に対して利用者登録が開始される。鍵４０を登録機３０の上に載せると、鍵４０の非接触通信部９と登録機３０の非接触通信部３４を介して鍵４０と登録機３０との間で通信可能となり、登録機３０の非接触通信部３４を介して、パーソナルコンピュータ３１から、現金入出金装置ＩＤ、利用者データおよび利用者データベースの消去時刻が鍵４０に送信される。
【００３８】
鍵４０の制御部３は、受信した現金入出金装置ＩＤおよび利用者データを、キーコードデータテーブル７および利用者データベース６に格納するとともに、利用者データベースの消去時刻をデータベース消去時刻テーブル４１に格納する。これにより鍵４０への登録動作を終了する。
【００３９】
現金入出金装置２に対する解錠動作または施錠動作は前記第１の実施の形態と同様に行われる。
【００４０】
次に利用者データベース部６の消去動作を説明する。本消去動作は鍵４０単体で行い、現金入出金装置２は介在しない。鍵４０の制御部３は、時計部５による現在時刻とデータベース消去時刻テーブル４１の値とを一定時間ごとに比較しており、時計部５による時刻がデータベース消去時刻テーブル４１の値になった場合に、利用者データベース部６に登録されている利用者データをすべて消去する。消去後に、利用者が現金入出金装置２の錠部２１の解錠または施錠を行う場合には、改めて上記の登録動作を行う。
【００４１】
以上のように第２の実施の形態によれば、上記第１の実施の形態の効果に加えて、一定期間が過ぎると利用者データベースの利用者データを自動的に消去するようにしたので、利用者データの削除忘れ等による鍵４０の不正使用や鍵４０からの生体情報の漏洩を防止することが可能であるという効果を奏する。
【００４２】
次に第３の実施の形態の鍵を説明する。図１４は第３の実施の形態の鍵を示すブロック図である。図１４において、第３の実施の形態における鍵５０には、データベース保存期間テーブル５１が設けられ、制御部３に接続されている。その他の構成は、前記第１の実施の形態の構成と同様であるが、利用者データベース部６に格納される利用者データの構成が上記第１の実施の形態と異なる。
【００４３】
本実施の形態における利用者データベース部６に格納される利用者データを図１５に示す。図１５において、利用者データ５２は、利用者名５３、生体情報５４、セキュリティレベル５５および登録日時５６により構成される。登録日時５６は、利用者の利用者名５３、生体情報５４および利用者のセキュリティレベル５５が登録された日時を示す情報である。利用者データベース部６には、図１６に示すように、複数の利用者データ５２が格納されている。
【００４４】
次に鍵５０の利用者登録の動作を説明する。この場合も、パーソナルコンピュータ３１上の専用アプリケーションを用いて行う。第３の実施の形態の場合も、図６、図７に示す登録機３０およびパーソナルコンピュータ３１を用いて、第１の実施の形態と同様に、利用者の生体情報および利用者名および利用者のセキュリティレベルをパーソナルコンピュータ３１に登録する。このとき登録の日時が登録データとして自動的に付加される。
【００４５】
次にパーソナルコンピュータ３１の画面には、図８および図９に示すように、現金入出金装置ＩＤおよび利用者名の一覧が表示され、利用者は一覧表示の中から解錠したい現金入出金装置２のＩＤおよび解錠を行う利用者の氏名を選択し、選択後、確認ボタンを押下する。次にパーソナルコンピュータ３１の画面には、図１７に示すように、利用者データベースの保存期間の入力画面が表示される。利用者はガイダンスに従って利用者データベースの保存期間を入力する。
【００４６】
パーソナルコンピュータ３１の画面には、鍵５０を登録機３０の上に載せる旨のガイダンスが表示され、このガイダンスに従って利用者は、鍵５０を登録機３０の上に載せる。これにより鍵５０に対して利用者登録が開始される。鍵５０を登録機３０の上に載せると、鍵５０の非接触通信部９と登録機３０の非接触通信部３４を介して鍵５０と登録機３０との間で通信可能となり、登録機３０の非接触通信部３４を介して、パーソナルコンピュータ３１から、現金入出金装置ＩＤ、利用者データおよび利用者データベースの保存期間データが鍵５０に送信される。
【００４７】
鍵５０の制御部３は、受信した現金入出金装置ＩＤおよび利用者データを、キーコードデータテーブル７および利用者データベース６に格納するとともに、利用者データベースの保存期間データをデータベース保存期間テーブル５１に格納する。これにより鍵５０への登録動作を終了する。
【００４８】
現金入出金装置２に対する解錠動作または施錠動作は前記第１の実施の形態と同様に行われる。
【００４９】
次に利用者データベースの自動消去動作について説明する。本自動消去動作も鍵５０単体で動作する。上記第２の実施の形態では一定の時刻になると利用者データベース部６のすべての利用者データを一括して消去するようにした。本実施の形態においては、鍵５０の制御部３は、時計部５による日時と、利用者データベース部６の各利用者データ５２の登録日時５６にデータベース保存期間テーブル５１に格納されている利用者データベースの保存期間データの値を加えた日時とを一定時間ごとに比較しており、時計部５による時刻が該加えた日時になった場合に、該当する利用者データを利用者データベース部６から消去する。
【００５０】
保存期間がまだ満了していない他の利用者データは継続して保存される。利用者データが消去された利用者が、再度、現金入出金装置２の錠部２１の解錠または施錠を行う場合には、改めて上記の登録動作を行う。
【００５１】
以上のように第３の実施の形態によれば、上記第１の実施の形態の奏する効果に加えて、登録した利用者データを消去する期限を個別に設定し、利用者データを個別に消去可能としたので、利用者データの運用を柔軟に行うことが可能となる。
【００５２】
上記第３の実施の形態では保存期間が満了した利用者データを満了した時点で消去するようにしているが、これに代えて、利用者が利用者データの有効期間を設定できるようにしても良い。この場合は、鍵にデータベース有効期間テーブルを設け、登録の際に利用者が有効期間を設定し、有効期間が満了した時点で、利用者データを消去せずに、有効性だけをなくすようにする。そして有効期間の満了したことを示す表示（例えばＬＥＤ部１１の点灯または他の表示手段による表示）を行い、利用者に知らせる。複数の利用者が登録している場合には、利用者を特定する情報を同時に表示する。有効期間満了を知った利用者は、必要な場合には生体情報の再登録を行う。
【００５３】
本発明は上記各実施の形態に限定されるものではなく、種々の変形が可能である。例えば、上記各実施の形態では現金入出金装置の錠部を解錠する例で説明したが、錠部を有する装置はこれに限らず、他の装置、例えば券売機やあるいは自動車等にも適用可能である。さらに一般家屋や事務所等の施設管理にも適用可能であり、広い汎用性が得られる。
【００５４】
また上記各実施の形態では生体情報として指紋情報を使用しているが、虹彩情報や静脈情報を生体情報として使用しても良い。また上記各実施の形態では鍵にメモリ部８を設け、メモリ部８に開閉の履歴情報を格納するようにしているが、鍵を登録機３０を介してパーソナルコンピュータ３１に接続し、メモリ部８に格納した情報をパーソナルコンピュータ３１で照合するようにしてもよい。
【図面の簡単な説明】
【００５５】
【図１】第１の実施の形態の鍵を示すブロック図である。
【図２】利用者データを示す説明図である。
【図３】利用者データベースの構成を示す説明図である。
【図４】キーコードテーブルを示す説明図である。
【図５】鍵を示す外観図である。
【図６】登録機およびパーソナルコンピュータを示す外観図である。
【図７】登録機およびパーソナルコンピュータを示すブロック図である。
【図８】現金入出金装置ＩＤの一覧表示を示す説明図である。
【図９】利用者名の一覧表示を示す説明図である。
【図１０】第１の実施の形態の解錠動作を示すフローチャートである。
【図１１】錠部データを示す説明図である。
【図１２】第２の実施の形態の鍵を示すブロック図である。
【図１３】利用者データベースの消去時刻の入力画面を示す説明図である。
【図１４】第３の実施の形態の鍵を示すブロック図である。
【図１５】第３の実施の形態における利用者データを示す説明図である。
【図１６】第３の実施の形態における利用者データベースの構成を示す説明図である。
【図１７】利用者データベースの保存期間の入力画面を示す説明図である。
【符号の説明】
【００５６】
１、４０、５０  鍵
２    現金入出金装置
３    制御部
４    生体認証センサ部
６    利用者データベース部
７    キーコードテーブル
２１  錠部
３０  登録機
３１  パーソナルコンピュータ
４１  データベース消去時刻テーブル
５１  データベース保存期間テーブル
【図１】
2007218049.tif 000003
【図２】
2007218049.tif 000004
【図３】
2007218049.tif 000005
【図４】
2007218049.tif 000006
【図５】
2007218049.tif 000007
【図６】
2007218049.tif 000008
【図７】
2007218049.tif 000009
【図８】
2007218049.tif 000010
【図９】
2007218049.tif 000011
【図１０】
2007218049.tif 000012
【図１１】
2007218049.tif 000013
【図１２】
2007218049.tif 000014
【図１３】
2007218049.tif 000015
【図１４】
2007218049.tif 000016
【図１５】
2007218049.tif 000017
【図１６】
2007218049.tif 000018
【図１７】
2007218049.tif 000019